(57)【要約】【課題】電話端末による通話に支障を来すことなく、用件をより確実に通知し、また、用件管理の負担を軽減する。【解決手段】電話端末２００は、ユーザから入力された用件を用件記憶手段２０１に個人対応に予め登録しておき、電話発信時に発信相手が選択されると、用件検索手段２０２によって発信相手に対応する用件が用件記憶手段２０１に登録されているかを検索する。そして、検索された用件を、送信手段２０３によって装着端末３００に送信する。装着端末３００は、受信手段３０１により、電話端末２００から送信される用件を受信し、該受信した用件を受信用件記憶手段３０２に記憶しておく。そして、記憶した用件を表示手段３０３に表示する。【選択図】図１０
2013070301.tif 000002
【特許請求の範囲】
【請求項１】
通信機能を有する電話端末と該電話端末と無線により通信可能で、ユーザに装着される装着端末とからなる用件通知システムであって、
前記電話端末は、
ユーザから入力された用件を個人対応に予め登録する用件記憶手段と、
電話発信時に発信相手が選択されると、該発信相手に対応する用件が前記用件記憶手段に登録されているかを検索する用件検索手段と、
前記用件検索手段により検索された用件を、前記装着端末に無線通信により送信する送信手段と
を備え、
前記装着端末は、
前記電話端末から送信される用件を受信する受信手段と、
前記受信手段により受信した用件を記憶する受信用件記憶手段と、
前記受信用件記憶手段に記憶した用件を表示する表示手段と
を備えることを特徴とする用件通知システム。
【請求項２】
前記電話端末は、
通話開始からの経過時間を計測する通話時間測定手段を更に備え、
前記通話時間測定手段による通話時間が所定時間経過後に、前記送信手段により、前記用件の通知指示とともに、前記用件の再表示指示を、前記装着端末に送信し、
前記装着端末は、
当該装着端末自体を振動させる振動手段を更に備え、
前記通知指示と前記再表示指示に従って、前記振動手段により当該装着端末自体を振動させるとともに、前記受信用件記憶手段に記憶している該当用件を前記表示手段に再表示する
ことを特徴とする請求項１に記載の用件通知システム。
【請求項３】
前記電話端末は、
前記用件から抽出した用件キーワードを個人対応に予め登録する用件キーワード記憶手段と、
通話の音声を認識する音声認識手段と、
前記通話時間測定手段による通話時間が所定時間経過後、前記音声認識手段により送話音声に前記用件から抽出した用件キーワードが認識された場合に、用件伝達完了と判断して前記用件記憶手段に登録されている前記用件の状態を完了に更新する用件管理手段と
を更に備える請求項１または２に記載の用件通知システム。
【請求項４】
前記電話端末は、
前記音声認識手段に認識された通話中の無音状態の継続時間を計測する無音時間計測手段と、
用件催促用通知音を出力する通知音出力手段と
を更に備え、
前記通話時間測定手段による通話時間が所定時間経過後、前記音声認識手段により送話音声に前記用件から抽出した用件キーワードが認識されない場合に、前記無音時間計測手段による無音状態の継続時間が所定時間継続すると、前記通知音出力手段により、送話側、受話側の双方に用件催促用通知音を送出する
ことを特徴とする請求項３に記載の用件通知システム。
【請求項５】
前記電話端末は、
ユーザから入力された通話を終わらせる終話キーワードを予め登録する終話キーワード記憶手段を更に備え、
前記音声認識手段により通話中に前記終話キーワードが認識されると、前記送信手段により、前記振動手段の振動による通知指示とともに、用件の状態が完了となっていない用件の再表示指示を、前記装着端末に送信する
ことを特徴とする請求項３または４に記載の用件通知システム。
【請求項６】
前記電話端末は、
前記通話時間測定手段による通話時間が所定時間経過後、前記音声認識手段により送話音声に前記用件から抽出した用件キーワードが認識された場合に、前記送信手段により、用件完了通知を前記装着端末に送信し、
前記装着端末は、
前記電話端末から用件完了通知を受信すると、前記受信用件記憶手段に記憶している該当用件を削除する
ことを特徴とする請求項３乃至５のいずれかに記載の用件通知システム。
【請求項７】
前記電話端末は、
通話が終話すると、前記送信手段によって、終話通知を前記装着端末に送信し、
前記装着端末は、
前記終話通知を受信すると、前記受信用件記憶手段に記憶している、終話した相手に対応する全ての用件を削除する
ことを特徴とする請求項３乃至６のいずれかに記載の用件通知システム。
【請求項８】
通信機能を有する電話端末と該電話端末と無線により通信可能で、ユーザに装着される装着端末とからなる用件通知システムによる用件通知方法であって、
ユーザから入力された用件を個人対応に前記電話端末に予め登録しておく用件登録ステップと、
前記電話端末で電話発信時に発信相手が選択されると、該発信相手に対応する用件が登録されているかを検索する用件検索ステップと、
前記検索された用件を、前記電話端末から前記装着端末に無線通信により送信する送信ステップと、
前記電話端末から送信される用件を前記装着端末で受信する受信ステップと、
前記受信した用件を前記装着端末に記憶する受信用件記憶ステップと、
前記記憶した用件を前記装着端末で表示する表示ステップと
を含むことを特徴とする用件通知方法。
【請求項９】
ユーザに装着される装着端末と無線により通信可能な電話端末のコンピュータに、
ユーザから入力された用件を個人対応に予めメモリに登録する用件記憶機能、
電話発信時に発信相手が選択されると、該発信相手に対応する用件が前記メモリに登録されているかを検索する用件検索機能、
前記用件検索機能により検索された用件を、前記装着端末に対して無線送信部により送信する送信機能
を実行させることを特徴とするプログラム。
【請求項１０】
ユーザに装着され、電話端末と無線により通信可能な装着端末のコンピュータに、
前記電話端末から送信される用件を無線受信部により受信する受信機能、
前記受信機能により受信した用件をメモリに記憶する受信用件記憶機能、
前記受信用件記憶機能で前記メモリに記憶した用件を表示部に表示する表示機能
を実行させることを特徴とするプログラム。
【発明の詳細な説明】
【技術分野】
【０００１】
本発明は、通話中の用件を通知する用件通知システム、用件通知方法、及びプログラムに関する。
【背景技術】
【０００２】
電話端末によるコミュニケーションにおいては、確認・伝達・相談事項があって電話をかけたとき、用件に入る前の会話をしているうちに用件を忘れ、結局、本題に触れることなく電話を切ってしまうということがある。つまり、一旦通話が始まってしまうと、伝えるべき用件の有無や、用件の内容を、使用者自ら思い出すしかなかった。
【０００３】
そこで、例えば、特許文献１には、携帯電話などの電話端末において、メモリにメッセージや電話番号を通知先相手毎に記憶させておき、発着信の検出タイミングに合わせて、メモリからメッセージや電話番号を検索し、検索したメッセージや通知先相手の電話番号を表示する技術が開示されている。
【先行技術文献】
【特許文献】
【０００４】
【特許文献１】特開２０００‐２７００８５号公報
【発明の概要】
【発明が解決しようとする課題】
【０００５】
しかしながら、上記特許文献１のように、電話端末に登録したメッセージや、通知先相手の電話番号を、発着信時に電話端末の表示部に表示するだけでは、電話端末を耳に当てて通話している場合、メッセージや、用件などを確認できないという問題がある。仮に通話中にメッセージや用件などを、表示部を見ることで確認できたとしても、電話端末を耳から離さなければならず、確認中に会話が途切れるなど、通話に支障を来すという問題がある。イヤホンをすることも考えられるが、煩わしいという問題がある。
【０００６】
また、用件確認時と同様に、通話中に用件を更新・削除する管理操作を行うためには、イヤホンをするか、電話端末を耳から離さなければならず、会話を中断する必要があった。また、後で管理操作を行うとすると、手動で更新・削除する必要があったりするなど、操作が煩雑であり、さらに、完了用件が溜まってしまうと、新しい用件が埋もれてしまうという問題がある。
【０００７】
そこで本発明は、電話端末による通話に支障を来すことなく、用件をより確実に通知することができ、また、用件管理の負担を軽減することができる用件通知システム、用件通知方法、及びプログラムを提供することを目的とする。
【課題を解決するための手段】
【０００８】
本発明の用件通知システムは、通信機能を有する電話端末と該電話端末と無線により通信可能で、ユーザに装着される装着端末とからなる用件通知システムであって、
前記電話端末は、
ユーザから入力された用件を個人対応に予め登録する用件記憶手段と、
電話発信時に発信相手が選択されると、該発信相手に対応する用件が前記用件記憶手段に登録されているかを検索する用件検索手段と、
前記用件検索手段により検索された用件を、前記装着端末に無線通信により送信する送信手段と
を備え、
前記装着端末は、
前記電話端末から送信される用件を受信する受信手段と、
前記受信手段により受信した用件を記憶する受信用件記憶手段と、
前記受信用件記憶手段に記憶した用件を表示する表示手段と
を備えることを特徴とする用件通知システムである。
【０００９】
本発明の用件通知方法は、通信機能を有する電話端末と該電話端末と無線により通信可能で、ユーザに装着される装着端末とからなる用件通知システムによる用件通知方法であって、
ユーザから入力された用件を個人対応に前記電話端末に予め登録しておく用件登録ステップと、
前記電話端末で電話発信時に発信相手が選択されると、該発信相手に対応する用件が登録されているかを検索する用件検索ステップと、
前記検索された用件を、前記電話端末から前記装着端末に無線通信により送信する送信ステップと、
前記電話端末から送信される用件を前記装着端末で受信する受信ステップと、
前記受信した用件を前記装着端末に記憶する受信用件記憶ステップと、
前記記憶した用件を前記装着端末で表示する表示ステップと
を含むことを特徴とする用件通知方法である。
【００１０】
本発明のプログラムは、ユーザに装着される装着端末と無線により通信可能な電話端末のコンピュータに、
ユーザから入力された用件を個人対応に予めメモリに登録する用件記憶機能、
電話発信時に発信相手が選択されると、該発信相手に対応する用件が前記メモリに登録されているかを検索する用件検索機能、
前記用件検索機能により検索された用件を、前記装着端末に対して無線送信部により送信する送信機能
を実行させることを特徴とするプログラムである。
【００１１】
本発明のプログラムは、ユーザに装着され、電話端末と無線により通信可能な装着端末のコンピュータに、
前記電話端末から送信される用件を無線受信部により受信する受信機能、
前記受信機能により受信した用件をメモリに記憶する受信用件記憶機能、
前記受信用件記憶機能で前記メモリに記憶した用件を表示部に表示する表示機能
を実行させることを特徴とするプログラムである。
【発明の効果】
【００１２】
この発明によれば、電話端末による通話に支障を来すことなく、用件をより確実に通知することができ、また、用件管理の負担を軽減することができる。
【図面の簡単な説明】
【００１３】
【図１】本発明の実施形態による用件通知システムの構成を示すブロック図である。
【図２】本実施形態による電話端末１の構成を示すブロック図である。
【図３】本実施形態による携帯端末装置としての腕時計１００の構成を示すブロック図である。
【図４】本実施形態による電話帳端末１への用件登録の動作を説明するためのフローチャートである。
【図５】本実施形態において、通話開始までの動作を説明するためのフローチャートである。
【図６】本実施形態において、通話開始後の通知に促されて用件を伝える場合の動作を、通話開始の段階から示すフローチャートである。
【図７】本実施形態において、用件通知後に用件を伝えられない場合、会話中の無音時に、用件伝達を促す場合の動作を説明するためのフローチャートである。
【図８】本実施形態による、用件を伝達する前に通話が終わりそうなことを検知し、用件が有る旨を通知する場合の動作を説明するためのフローチャートである。
【図９】本実施形態において、通知前に用件を伝える場合の動作を説明するためのフローチャートである。
【図１０】付記１の構成図である。
【発明を実施するための形態】
【００１４】
本発明は、通話開始後一定時間が経過してから、電話端末と連携した腕時計を振動させることで、あるいは、相手側の音声が途切れた状況を検知し、双方の回線に通知音を鳴動させて、より自然に双方の会話に割り込むことで、電話端末による通話に支障を来すことなく、通知機能により本題に入るよう促し、電話端末に登録した用件の内容を腕時計に表示することで、用件をより確実に通知することを特徴としている。
【００１５】
また、音声認識技術を用いて、ユーザの音声中にキーワードが認識されると、キーワードに対応する処理を実行したり、イベント発生を契機に自動で用件を削除したりするなどし、管理の煩雑さを低減することを特徴としている。
【００１６】
以下、本発明の実施の形態を、図面を参照して説明する。
【００１７】
図１は、本発明の実施形態による用件通知システムの構成を示すブロック図である。図において、用件通知システムは、電話端末１と腕時計１００とからなる。電話端末１と腕時計１００とは、無線通信インターフェース１１、１０１によって無線通信によりデータを送受信する。
【００１８】
図２は、本実施形態による電話端末１の構成を示すブロック図である。図２において、入力／操作部１２は、電話端末１における全ての入力／ユーザ操作を受けつけ、各部へ結果を伝える。表示部１３は、電話端末１における全ての表示指示に従い、電話端末１の画面に伝えられた内容を表示する。
【００１９】
本実施形態では、無線通信インターフェース１１は、電話端末１と腕時計１００との間の通信を行う。電話端末１側は、通知イベント管理部１９から受け取った通知指示を腕時計１００に送信する。また、腕時計１００から受け取った用件の伝達状況を、電話端末１側の用件管理部１８へ送る。腕時計１側は、腕時計１側の用件管理部１８から受け取った用件の伝達状況を、電話端末１００へ送信する。
【００２０】
電話帳１４は、個人情報管理部１５を有しており、各個人の氏名や、電話番号などが登録・管理されている。本実施形態では、その領域で各個人に関する用件も登録・管理する。個人情報管理部１５は、用件記憶部１６、用件キーワード部１７、及び用件管理部１８を有している。用件記憶部１６には、ユーザ操作により入力された用件の文章が保存される。その用件は、既存技術によりキーワードに分解され、用件キーワード部１７に保存される。用件管理部１８は、「未完了」、「完了」などの用件の伝達状況の更新、削除や並び替えなどの処理を行う。
【００２１】
時刻管理部２５は、時計機能２６と時間測定機能２７とから構成されている。時間測定機能２７は、通話開始からの経過時間（通話時間）を計測する通話時間測定機能２８と両者の会話中の無音時間を計測する無音時間測定機能２９とを有する。詳細は後述するが、通話時間測定機能２８が計測した通話時間が所定時間に達した場合、また、無音時間測定機能２９により計測した無音時間が後述の条件になった場合、それぞれ通知イベント管理部１９へ通知を送る。通知は、通知イベント管理部１９の通知受信部２３で受信される。
【００２２】
音声認識部３０は、通話時間検知部３１、送話認識部３２、受話認識部３３、無音感知部３４からなる。通話開始検知部３１は、呼成立直後の受話音声を認識することで、通話開始を検知し、通話時間測定機能２８へ時間測定開始を指示する。送話認識部３２は、通話機能３８により送出された送話音声４１を認識し、認識結果をキーワード照合部２４へ送る。受話認識部３３は、通話機能３８により受話した受話音声４０を認識し、認識結果をキーワード照合部２４へ送る。無音感知部３４は、後述の条件下で、受話中に無音状態を検出し、時間測定の無音時間測定機能２９へ時間測定開始を指示する。無音状態が一定時間（例えば１秒間）続いたら、無音状態と判断し、通知イベント管理部１９へ送る。
【００２３】
電話機能３６は、通話中表示内容３７、通話機能３８、通話キーワード部４２を有する。通話中表示内容３７は、通話中に表示部１３に表示する内容である。通話機能３８は、通話管理３９を有し、通話中の受話音声４０、及び送話音声４１の送受信を管理する。通話キーワード部４２は、終話など会話の流れを示す終話キーワードをカテゴリごとに保持している終話（ＤＢ）データベース４３を備えている。終話キーワードとは、「また電話する」など電話を切る前によく話される言葉である。キーワード照合部２４は、受け取った会話と用件キーワード及び終話キーワードとを照合し、一致した場合、その結果を用件管理部１８へ送る。
【００２４】
通知イベント管理部１９は、通知回数ごとに設定されている通知時間・方法・通知相手などの通知する通知条件２０を保持している。通知イベント管理部１９は、後述のタイミングで用件管理部１８に用件の状態を問い合わせ、通知履歴２１を参照し、通知条件２０と照合する。通知指示部２２は、条件に合致した場合、無線通信インターフェース１１経由で腕時計１００に通知、または通知音出力部３５へ指示を送る。また、通知イベント管理部１９は、用件ごとの通知履歴２１を保持している。通知履歴２１を終話後にリセットするか、保持し続けるかはここでは定めない。
【００２５】
通知音出力部３５は、通知イベント管理部１９から指示を受け、鳴動音を電話端末１の受話回線のみ、または送受話双方の回線へ流す。指示には、鳴動音の種類も含まれる。
【００２６】
図３は、本実施形態による携帯端末装置としての腕時計１００の構成を示すブロック図である。図３において、操作部１０２は、腕時計１００における全てのユーザ操作を受けつけ、各部へ結果を伝える。表示部１０３は、腕時計１００における全ての表示指示に従い、腕時計１００の画面に伝えられた内容を表示する。
【００２７】
無線通信インターフェース１０１は、電話端末１と腕時計１００との間で通信を行うことで、電話端末１から振動通知指示・用件通知・用件を受信する。また、腕時計１００側で更新した用件の伝達状況を電話端１末へ送信する。腕時計１００側は、腕時計１００側の用件管理部１０７から受け取った用件の伝達状況を、電話端末１へ送信する。電話帳１０４の用件記憶部１０６には、電話端末１から送信された用件が保存される。
【００２８】
通知イベント管理部１１１は、無線インターフェース１０１経由で電話端末１からの通知を通知受信部１１３で受信し、通知指示１１２で振動通知を振動部１１４へ指示する。また、腕時計１００側で手動にて状態を更新した場合など、電話端末１側へ通知するイベントもここから指示を行う。表示内容管理部１０８は、表示する内容を管理する。本実施形態では、用件有無１０９と用件１１０とを、無線インターフェース１０１経由で受信し、表示指示を表示部１０３へ送る。
【００２９】
時刻管理部１１５は、時計機能１１６と時間測定機能１１７とから構成されている。時間測定機能１１７は、表示部１０３への表示時間１１８を測定するとともに、使用者が最後の用件を表示してから何も操作していない時間、つまり無操作時間１１９を測定する。無操作時間１１９が設定した時間に達した場合、表示部１０３に表示を消去する指示を送る。
【００３０】
次に、上述した実施形態の動作について説明する。
図４は、本実施形態による電話帳端末１への用件登録の動作を説明するためのフローチャートである。電話端末１の使用者は、電話帳１４を起動し（ステップＳ１１）、入力／操作部１２から該当する個人の電話帳欄に用件を文章で入力して登録する（ステップＳ１２）。従来の用件管理の多くは、日時や行動別に記録・管理されているが、用件と個人とを関連付けることで、より確実に用件が伝えられる。新規登録された用件は、用件記憶部１６に記憶され、「未完了」の状態情報が付加される（ステップＳ１３）。さらに、その用件は、既存技術によりキーワードに分解されてキーワード欄に自動表示され、用件キーワード部１７に保存される（ステップＳ１４）。その後、電話端末１の使用者は、電話帳１４を終了する(ステップＳ１５）。
【００３１】
図５は、本実施形態において、通話開始までの動作を説明するためのフローチャートである。電話端末１では、使用者が、電話帳１４または送受信履歴などから、相手の電話番号を選択する（ステップＳ２１）。電話端末１は、個人情報管理部１５に保存されている用件を参照し（ステップＳ２２）、用件の有無を無線通信インターフェース１１経由で腕時計１００へ送信する（ステップＳ２４）。腕時計１００は、無線通信インターフェース１０１を介して用件の有無を受信し、表示部１０３に表示する（ステップＳ４０、Ｓ４１）。
【００３２】
一方、電話端末１では、用件があるか否かを判断し（ステップＳ２３）、用件が有る場合には（ステップＳ２３のＹＥＳ）、用件管理部１８に保存されている用件の状態を参照する（ステップＳ２５）。次に、用件の状態が「未完了」であるか否かを判断し（ステップＳ２６）、用件の状態が「未完了」の場合には（ステップＳ２６のＹＥＳ）、電話端末１は、その「未完了」の用件を腕時計１００へ送信する（ステップＳ２７）。また、電話端末１は、その用件の通知履歴２１には「発信前通知」と記録し、発信後通知回数には含めない（ステップＳ２８）。
【００３３】
次に、電話端末１では、通知イベント管理部１９が、用件の通知履歴２１を参照する（ステップＳ２９）。この場合、発信後通知回数は０である。過去の通話において、既に用件を３回通知したが、相手に伝えていない場合には、発信後通知回数は３となる。通知イベント管理部１９は、通知履歴２１に記録されている通知回数に該当する通知条件を参照する（ステップＳ３０）。通知条件として、一回目の通知は３分後、二回目の通知は２分後など回数ごとに通知時間を設定できる。
【００３４】
なお、ステップＳ２２からステップＳ３０までは自動的に遷移するが、使用者が、各ステップを確認・設定しながら遷移することも可能である。その後、使用者の操作にて発信（ステップＳ３１）、相手側に着信、相手側が応答して通話が開始される（ステップＳ３２）。
【００３５】
一方、腕時計１００では、電話端末１からの「未完了」の用件を受信し（ステップＳ４２）、受信した用件を個人情報管理部１０５の用件記憶部１０６に保存し、「未完了」の用件を表示部１０３に表示する（ステップＳ４３）。用件が画面に表示しきれない場合には、自動的に画面スクロールしてもよい。また、用件が複数ある場合も、手動もしくは自動で次の用件を表示してもよい。無操作の状態で指定した時間が経過すると、表示内容管理部１０８へ通知する（ステップＳ４４）。表示内容管理部１０８は、画面表示の消灯を表示部１０３に指示して画面を消灯させる（ステップＳ４５）。
【００３６】
一方、用件がない場合（ステップＳ２３のＮＯ）、あるいは用件の状態「未完了」でない場合には（ステップＳ２６のＮＯ）、使用者の操作にて発信（ステップＳ３１）、相手側に着信、相手側が応答して通話が開始される（ステップＳ３２）。
【００３７】
図６は、本実施形態において、通話開始後の通知に促されて用件を伝える場合の動作を、通話開始の段階から示すフローチャートである。上述した図５に示すようにして、発信操作を行い、相手側に着信、相手が応答する（ステップＳ５５）。通話開始検知部３１は、発信・着信後の相手側の応答（受話音声）を認識することで、通話開始を検知し（ステップＳ５６）、時間測定機能２７は、通話時間測定を開始する（ステップＳ５７）。
【００３８】
そして、通話開始前に参照した通知条件である一回目の通知時間に達すると、時間測定機能２７は、通知イベント管理部１９へ通知を送る（ステップＳ５８）。また、時間測定機能２７は、通話時間の測定を停止する（ステップＳ５９）。
【００３９】
通知イベント管理部１９は、通知履歴２１を参照し、通知条件と照合する。この場合、通知イベント管理部１９は、一回目の通知条件に応じて、無線通信インターフェース１１経由で腕時計１００へ振動通知する指示を送る（ステップＳ６０、Ｓ６１）。同時に、通話開始前に表示した未完了用件を再表示するように、腕時計１００へ指示を送る（ステップＳ６２）。更に、時間測定機能２７は、次回の通知時間の測定を開始し（ステップＳ６３）、通知履歴の発信後通知回数を１回増やして更新する（ステップＳ６４）。この場合は、０から１回に更新する。
【００４０】
一方、腕時計１００は、通知イベント管理部１１１の通知受信１１３で用件通知を受信し（ステップＳ８０）、振動部１１４を振動させる（ステップＳ８１）。また、腕時計１００は、用件の再表示指示を受信し（ステップＳ８２）、未完了用件を再表示する（ステップＳ８３）。用件が複数ある場合、次の用件を自動表示するかは別途設定できるものとする。使用者は、腕時計１００の振動により用件に気がつくと、表示された用件を確認する。
【００４１】
用件を確認した使用者は、電話端末１から腕時計１００で確認した用件を口頭で相手に伝える。電話端末１のキーワード照合部２４では、使用者が用件を伝える送話音声と用件キーワードとが一致するので、その結果を用件管理部１８へ送る（ステップＳ６６）。用件管理部１８は、用件の状態を「完了」に更新する（ステップＳ６７）。なお、用件表示を時限とし、完了後一定期間過ぎた用件を自動的に削除したり、完了と同時に自動削除したりするなどの設定も可能である。
【００４２】
電話端末１は、個人情報管理部１５の用件記憶部１６に保存されている用件を参照し（ステップＳ６８）、用件の有無を腕時計１００へ送信する（ステップＳ６９）。更に、完了通知を腕時計１００へ送信する（ステップＳ７０）。腕時計１００の表示内容管理部１０８は、用件の有無１０９を受信し（ステップＳ８５）、表示部１０３に表示する（ステップＳ８６）。腕時計１の通知イベント管理部１１１は、完了通知を受信し、用件管理部１０７へ送る（ステップＳ８７）。腕時計１の用件管理部１０７から用件を削除し、表示部１０３の表示を消去する（ステップＳ８８）。
【００４３】
電話端末１では、ステップＳ６８での用件参照時に他の用件があるか否かを判断し（ステップＳ７１）、用件が他にある場合には（ステップＳ７１のＹＥＳ）、図５の通話開始前と同様、通知履歴・通知条件を参照し（ステップＳ７２、Ｓ７４）、ステップＳ５７に戻り、通話時間測定を開始する。以下、終話前、かつ用件が無くなるまで同様の動作を繰り返す。
【００４４】
一方、用件が無い場合には（ステップＳ７１のＮＯ）、音声認識部３０の音声認識機能（送話／受話・無音）を停止する（ステップＳ７３）。終話後、電話端末１は、腕時計１００に終話通知を送信する（ステップＳ７５、Ｓ７６）。腕時計１００の通知イベント管理部１１１は、終話通知を受信し、用件管理部１０７へ送る（ステップＳ８９）。用件管理部１０７は、全用件を用件記憶部１０６から削除する（ステップＳ９０）。このように、終話後に腕時計１００側の用件を削除することで、腕時計１００と無線通信ができない間に行われた通話で伝えられた用件などが、残ってしまう問題を解消する。
【００４５】
図７は、本実施形態において、用件通知後に用件を伝えられない場合、会話中の無音時に、用件伝達を促す場合の動作を説明するためのフローチャートである。図７では、図６の電話端末１のステップＳ５５からステップＳ６４、及び腕時計１００のステップＳ８０からステップＳ８４からの続きを示している。
【００４６】
通話開始後、一回目の通知の後も、用件を伝えないまま二回目の通知時間に達すると、電話端末１の時間測定機能２７は、通話時間の測定を停止する（ステップＳ１０２）。電話端末１は、個人情報管理部１５の用件記憶部１６に保存されている用件を参照し（ステップＳ１０１）、未完了の用件があるか否かを判断する（ステップＳ１０３）。そして、用件が有る場合には（ステップＳ１０３のＹＥＳ）、無音感知部３４を起動する（ステップＳ１０４）。
【００４７】
無音感知部３４が受話音声の無音状態を検知すると、時間測定機能２７の無音時間測定機能２９へ時間測定開始を指示し（ステップＳ１０５）、無音時間測定機能２９は、無音時間を測定する（ステップＳ１０６）。そして、無音状態が一定時間（例えば、１秒間）続いたら、無音状態と判断し、通知イベント管理部１９へ通知する（ステップＳ１０７）。また、無音時間測定機能２９は、無音時間の測定を停止する（ステップＳ１０８）。
【００４８】
通知イベント管理部１９は、通知音出力部３５に対し、送話側・受話側双方に通知音を鳴動する指示を出す（ステップＳ１０９）。通知音出力部３５は、指示を受けると、通知音を電話端末１の送話側・受話側双方に鳴動させる（ステップＳ１１０）。また、通知イベント管理部１９は、振動通知をする指示、及び、一回目の通知後に表示した未完了用件を再表示する指示を腕時計１００に送信する（ステップＳ１１１、Ｓ１１２）。更に、通知時間測定機能２８は、次回の通知時間の測定を開始する（ステップＳ１１３）。時間測定機能２７は、通知履歴２１の発信後通知回数を１回増やして更新する（ステップＳ１１４）。この場合は、１から２回に更新する。
【００４９】
図６での通常通知は、腕時計１００のみが振動し（ステップＳ８１）、会話を妨げないことが利点であったが、図７に示す例では、相手の話が途切れたタイミングで、送話側・受話側双方に通知音を鳴動させ（ステップＳ１１０）、用件に入るきっかけを作ることができる。この場合、キャッチホンのように、送話側に通知音、受話側で保留音、または別の音を鳴動させてもよい。
【００５０】
腕時計１００は、図６と同様に指示を受信し、振動・表示する（ステップＳ１２０、Ｓ１２１）。また、腕時計１００は、図６と同様に、未完了用件再表示指示を受信し（ステップＳ１２２）、未完了用件を再表示する（ステップＳ１２３）。使用者は、腕時計１００に再表示された、未完了用件を確認し、通話中の相手に口頭で伝達し、電話端末１は、図６のステップＳ６６へ進み（ステップＳ１１６）、終話する（ステップＳ１１７）。
【００５１】
図８は、本実施形態による、用件を伝達する前に通話が終わりそうなことを検知し、用件が有る旨を通知する場合の動作を説明するためのフローチャートである。未完了の用件がある状態で、相手もしくは使用者が終話キーワードを発すると、キーワード照合部２４において、受話もしくは送話音声と終話キーワードとが一致するので、通知イベント管理部１９へ通知する（ステップＳ１３１）。また、通話時間や、通知時間を測定している場合には、測定を停止する（ステップＳ１３２）。
【００５２】
通知イベント管理部１９は、図７に示すステップＳ１０７、Ｓ１０９での無音状態通知と同様に、送話側・受話側双方に通知音を鳴動する指示を出す（ステップＳ１３３）。以降、図７に示すステップＳ１０９以降での無音状態通知後の動作と同様に、腕時計１００に用件を通知して、振動・表示することで、使用者に「未完了」の用件を通知する。
【００５３】
図９は、本実施形態において、通知前に用件を伝えた場合の動作を説明するためのフローチャートである。上述した図５に示すようにして、発信操作を行い、通話が開始される。通話開始検知部３１は、発信・着信後の相手側の応答（受話音声）を認識することで、通話開始を検知し（ステップＳ１４１）、時間測定機能２７は、通話時間測定を開始する（ステップＳ１４２）。
【００５４】
使用者は、電話端末１から通知前に用件を相手に伝える。電話端末１のキーワード照合部２４では、送話音声と用件キーワードとが一致するので、その結果を用件管理部１８へ送る（ステップＳ１４４）。用件管理部１８は、用件の状態を「完了」に更新する（ステップＳ１４５）。また、時間測定機能２７は、通話時間の測定を停止する（ステップＳ１４６）。
【００５５】
電話端末１は、個人情報管理部１５の用件記憶部１６に保存されている用件を参照し（ステップＳ１４７）、用件の有無を腕時計１００へ送信する（ステップＳ１４８）。更に、完了通知を腕時計１００へ送信する（ステップＳ１４９）。腕時計１００の表示内容管理部１０８は、用件の有無１０９を受信し（ステップＳ１６０）、表示部１０３に表示する（ステップＳ１６１）。腕時計１の通知イベント管理部１１１は、完了通知を受信し、用件管理部１０７へ送る（ステップＳ１６２）。腕時計１の用件管理部１０７から用件を削除し、表示部１０３の表示を消去する（ステップＳ１６３）。
【００５６】
電話端末１では、ステップＳ１４７での用件参照時に他の用件があるか否かを判断し（ステップＳ１５０）、用件が他にある場合には（ステップＳ１５０のＹＥＳ）、図５の通話開始前と同様、通知履歴・通知条件を参照し（ステップＳ１５１、Ｓ１５３）、ステップＳ１４２に戻り、通話時間測定を開始する。以下、終話前、かつ用件が無くなるまで同様の動作を繰り返す。
【００５７】
一方、用件が無い場合には（ステップＳ１５０のＮＯ）、音声認識部３０の音声認識機能（送話／受話・無音）を停止する（ステップＳ１５２）。終話後、電話端末１は、腕時計１００に終話通知を送信する（ステップＳ１５４、Ｓ１５５）。腕時計１００の通知イベント管理部１１１は、終話通知を受信し、用件管理部１０７へ送る（ステップＳ１６４）。用件管理部１０７は、全用件を用件記憶部１０６から削除する（ステップＳ１６５）。
【００５８】
上述した実施形態によれば、通話開始後一定時間が経過してから、電話端末１からの指示により、使用者本人だけに気づくように腕時計１００を振動させることで、相手に失礼のないよう、また会話が途切れないようにして、使用者本人だけに用件を通知することができる。
【００５９】
また、上述した実施形態によれば、電話端末１からの指示により、腕時計１００の方に用件を表示することで、通話中、耳から電話端末１を離して会話を中断することなく、また、電話端末１に登録された用件を見るために、通話中にイヤホンをする必要もなくなる。
【００６０】
また、上述した実施形態によれば、通話中の音声を音声認識することで、通話中の音声に用件キーワードが含まれていたか否か、すなわち、用件を伝えたか否かが分かるため、用件の状態を完了としたり、削除したり、再度通知するために保留としたりと、用件管理を自動化することができる。
【００６１】
また、上述した実施形態によれば、通話開始後一定時間が経過した後に、用件の状態が「未完了」である場合には、会話中の無音状態を検知し、送話側・受話側双方の回線に通知音を鳴動させて割り込むことで、通話に支障を来すことなく、用件をより確実に通知することができる。
【００６２】
また、上述した実施形態によれば、通話中に終話キーワード（）を認識し、受話もしくは送話音声と終話キーワードとが一致すると、送話側・受話側双方の回線に通知音を鳴動させて割り込むことで、通話に支障を来すことなく、用件をより確実に、かつ自然に通知することができる。
【００６３】
また、上述した実施形態によれば、呼が成立した時点ではなく、受話音声を認識した時点で通話開始を検知するので、声紋などの音声認証と組み合わせれば、通話開始タイミングがより正確に検知することができる。
【００６４】
また、上述した実施形態によれば、終話キーワード、用件キーワードのほかに、別のキーワードのデータベースを用件キーワード部１７に保持し、音声認識したキーワードと照合した時点で、通知など何らかのイベントを発生させることもできる。
【００６５】
なお、上述した実施形態は、相手の電話番号通知という既存機能により、こちらから電話を発信したときだけではなく、着信した場合も適用することができる。この場合、発信前に行っている用件の参照などを、電話着信開始と同時に実施すればよい。また、通知間隔をどちらから電話を発信したかによって別々に設定できるようにしてもよい。
【００６６】
また、上述した実施形態は、電話帳だけではなく、電話端末１のカレンダー・スケジュール・Ｔｏｄｏ（すべきことの管理）の用件に応用することもできる。この場合、スケジュールに登録した予定を関係する電話帳１４の個人に関連付けておけば、用件を、用件別と個人別の両方で管理・参照することができるという利点もある。
【００６７】
また、上述した実施形態において、電話帳・カレンダーデータを、サーバなど電話端末１外におき、電話端末１からアクセスすることで利用するようにしてもよい。
【００６８】
また、上述した実施形態において、腕時計１００に限らず、電話端末１との通信機能を有し、ユーザが身に付けるなど近くに置いて、振動や、光などで受信を知らせ、内容を表示できる機能を備える他の電子機器であってもよい。
【００６９】
さらに、腕時計１００側で、用件の状態を更新して電話端末１側へ状態を送り、電話端末１側で状態を更新することも可能である。腕時計１００側で、用件の表示／非表示を切り替えたりすることも可能である。
【００７０】
なお、本実施形態は、携帯電話などの電話端末１、及び腕時計１００に適用した例であるが、本発明は、これに限定されるものではない。電話端末１としては、固定電話機、携帯電話機等の装置であって電話帳機能、通知機能、無線通信機能、入力・表示機能、音声認識機能、時間測定機能を有する電子機器であれば適用でき、また、腕時計１００としては、腕時計等の身に付ける機器であって、電話帳機能、通知機能、無線通信機能、入力・表示機能を有する電子機器（無線通信可能な携帯型または据置型の端末機器、例えば、通信機能を持つデジタルカメラ、携帯情報端末、パーソナルコンピュータ、通信機等）などであれば適用できる。
【００７１】
以下、本発明の特徴を付記する。
上記の実施形態の一部又は全部は、以下の付記のようにも記載されうるが、以下には限られない。
（付記１）
図１０は、付記１の構成図である。この図に示すように、付記１記載の発明は、
通信機能を有する電話端末２００と該電話端末２００と無線により通信可能で、ユーザに装着される装着端末３００とからなる用件通知システムであって、
前記電話端末２００は、
ユーザから入力された用件を個人対応に予め登録する用件記憶手段２０１と、
電話発信時に発信相手が選択されると、該発信相手に対応する用件が前記用件記憶手段２０１に登録されているかを検索する用件検索手段２０２と、
前記用件検索手段２０２により検索された用件を、前記装着端末３００に無線通信により送信する送信手段２０３と
を備え、
前記装着端末３００は、
前記電話端末２００から送信される用件を受信する受信手段３０１と、
前記受信手段３０１により受信した用件を記憶する受信用件記憶手段３０２と、
前記受信用件記憶手段３０２に記憶した用件を表示する表示手段３０３と
を備えることを特徴とする用件通知システムである。
【００７２】
（付記２）
前記電話端末は、
通話開始からの経過時間を計測する通話時間測定手段を更に備え、
前記通話時間測定手段による通話時間が所定時間経過後に、前記送信手段により、前記用件の通知指示とともに、前記用件の再表示指示を、前記装着端末に送信し、
前記装着端末は、
当該装着端末自体を振動させる振動手段を更に備え、
前記通知指示と前記再表示指示に従って、前記振動手段により当該装着端末自体を振動させるとともに、前記受信用件記憶手段に記憶している該当用件を前記表示手段に再表示する
ことを特徴とする付記１に記載の用件通知システムである。
【００７３】
（付記３）
前記電話端末は、
前記用件から抽出した用件キーワードを個人対応に予め登録する用件キーワード記憶手段と、
通話の音声を認識する音声認識手段と、
前記通話時間測定手段による通話時間が所定時間経過後、前記音声認識手段により送話音声に前記用件から抽出した用件キーワードが認識された場合に、用件伝達完了と判断して前記用件記憶手段に登録されている前記用件の状態を完了に更新する用件管理手段と
を更に備える付記１または２に記載の用件通知システムである。
【００７４】
（付記４）
前記電話端末は、
前記音声認識手段に認識された通話中の無音状態の継続時間を計測する無音時間計測手段と、
用件催促用通知音を出力する通知音出力手段と
を更に備え、
前記通話時間測定手段による通話時間が所定時間経過後、前記音声認識手段により送話音声に前記用件から抽出した用件キーワードが認識されない場合に、前記無音時間計測手段による無音状態の継続時間が所定時間継続すると、前記通知音出力手段により、送話側、受話側の双方に用件催促用通知音を送出する
ことを特徴とする付記３に記載の用件通知システムである。
【００７５】
（付記５）
前記電話端末は、
ユーザから入力された通話を終わらせる終話キーワードを予め登録する終話キーワード記憶手段を更に備え、
前記音声認識手段により通話中に前記終話キーワードが認識されると、前記送信手段により、前記振動手段の振動による通知指示とともに、用件の状態が完了となっていない用件の再表示指示を、前記装着端末に送信する
ことを特徴とする付記３または４に記載の用件通知システムである。
【００７６】
（付記６）
前記電話端末は、
前記通話時間測定手段による通話時間が所定時間経過後、前記音声認識手段により送話音声に前記用件から抽出した用件キーワードが認識された場合に、前記送信手段により、用件完了通知を前記装着端末に送信し、
前記装着端末は、
前記電話端末から用件完了通知を受信すると、前記受信用件記憶手段に記憶している該当用件を削除する
ことを特徴とする付記３乃至５のいずれかに記載の用件通知システムである。
【００７７】
（付記７）
前記電話端末は、
通話が終話すると、前記送信手段によって、終話通知を前記装着端末に送信し、
前記装着端末は、
前記終話通知を受信すると、前記受信用件記憶手段に記憶している、終話した相手に対応する全ての用件を削除する
ことを特徴とする付記３乃至６のいずれかに記載の用件通知システムである。
【００７８】
（付記８）
通信機能を有する電話端末と該電話端末と無線により通信可能で、ユーザに装着される装着端末とからなる用件通知システムによる用件通知方法であって、
ユーザから入力された用件を個人対応に前記電話端末に予め登録しておく用件登録ステップと、
前記電話端末で電話発信時に発信相手が選択されると、該発信相手に対応する用件が登録されているかを検索する用件検索ステップと、
前記検索された用件を、前記電話端末から前記装着端末に無線通信により送信する送信ステップと、
前記電話端末から送信される用件を前記装着端末で受信する受信ステップと、
前記受信した用件を前記装着端末に記憶する受信用件記憶ステップと、
前記記憶した用件を前記装着端末で表示する表示ステップと
を含むことを特徴とする用件通知方法である。
【００７９】
（付記９）
ユーザに装着される装着端末と無線により通信可能な電話端末のコンピュータに、
ユーザから入力された用件を個人対応に予めメモリに登録する用件記憶機能、
電話発信時に発信相手が選択されると、該発信相手に対応する用件が前記メモリに登録されているかを検索する用件検索機能、
前記用件検索機能により検索された用件を、前記装着端末に対して無線送信部により送信する送信機能
を実行させるプログラムである。
【００８０】
（付記１０）
ユーザに装着され、電話端末と無線により通信可能な装着端末のコンピュータに、
前記電話端末から送信される用件を無線受信部により受信する受信機能、
前記受信機能により受信した用件をメモリに記憶する受信用件記憶機能、
前記受信用件記憶機能で前記メモリに記憶した用件を表示部に表示する表示機能
を実行させることを特徴とするプログラムである。
【００８１】
（付記１１）
前記電話端末は、
電話着信時に相手電話番号を取得する相手電話番号取得手段を更に備え、
前記相手電話番号取得手段によって取得した相手電話番号の相手に対応する用件が前記用件記憶手段に登録されている場合に、前記送信手段により、該当用件、前記振動手段の振動による通知指示、及び前記用件の表示指示を、前記装着端末に送信し、
前記装着端末は、
前記通知指示に従って、前記振動手段により当該装着端末自体を振動させるとともに、前記表示指示に従って、受信した該当用件を前記表示手段に表示する
ことを特徴とする付記３乃至６のいずれかに記載の用件通知システム。
【符号の説明】
【００８２】
１  電話端末
１１  無線通信インターフェース
１２  入力／操作部
１３  表示部
１４  電話帳
１５  個人情報管理部
１６  用件記憶部
１７  用件キーワード部
１８  用件管理部
１９  通知イベント管理部
２０  通知条件
２１  通知履歴
２２  通知指示部
２３  通知受信部
２４  キーワード照合部
２５  時刻管理部
２６  時計機能
２７  時間測定機能
２８  通話時間測定機能
２９  無音時間測定機能
３０  音声認識部
３１  通知開始検知部
３２  送話認識部
３３  受話認識部
３４  無音感知部
３５  通知音出力部
３６  電話機能
３７  通話中表示内容
３８  通話機能
３９  通話管理
４０  受話音声
４１  送話音声
４２  通話キーワード部
４３  終話ＤＢ
１００  腕時計
１０１  無線通信インターフェース
１０２  操作部
１０３  表示部
１０４  電話帳
１０５  個人情報管理部
１０６  用件記憶部
１０７  用件管理部
１０８  表示内容管理部
１０９  用件有無
１１０  用件
１１１  通知イベント管理部
１１２  通知指示部
１１３  通知受信部
１１４  振動部
１１５  時刻管理部
１１６  時計機能
１１７  時間測定機能
１１８  表示時間
１１９  無操作時間
【図１】
2013070301.tif 000003
【図２】
2013070301.tif 000004
【図３】
2013070301.tif 000005
【図４】
2013070301.tif 000006
【図５】
2013070301.tif 000007
【図６】
2013070301.tif 000008
【図７】
2013070301.tif 000009
【図８】
2013070301.tif 000010
【図９】
2013070301.tif 000011
【図１０】
2013070301.tif 000012